(57)【要約】【課題】カートリッジ側端子部と底部の内圧調節弁とが同じ側に設けられている場合に、インクカートリッジの浮き上がりを防止するための装置の提供【解決手段】インクカートリッジ２２が、底面に設けられる内圧調節弁３７と、内圧調節弁３７が設けられる側の端面に形成されるカートリッジ側端子部４９と、カートリッジ側端子部４９が設けられる側の端面から突出形成される浮き上がり防止突起５１とを備える。キャリッジ２３の蓋体５７に、浮き上がり防止突起５１の当接面５３を押圧して、内圧調節弁３７の弁手段をその付勢力に抗して押し上げる力に起因して生じるインクカートリッジの浮き上がりを防止するために、当接面５３を押圧可能な押圧部７９が形成されている。【選択図】        図５
2005041057.tif 000002
【特許請求の範囲】
【請求項１】
複数のインクカートリッジを収納する収納部と、前記インクカートリッジのインクにより被記録媒体に記録を行うためのヘッドとを備える走査可能なキャリッジの収納部内にインクカートリッジを収納する際にインクカートリッジの浮き上がりを防止する装置であって、
前記インクカートリッジが、
インクカートリッジの底面に設けられ、常時閉方向に付勢されることにより閉成状態を維持する弁手段を備え、外部から前記弁手段を前記付勢力に抗して押し込むことにより、インクカートリッジ内部と外気とが連通する内圧調節弁と、
インクカートリッジの前記内圧調節弁が設けられる側となる端面に設けられたカートリッジ側端子部と、を備え、
前記キャリッジが、
キャリッジ本体と、該キャリッジ本体に回動支点を有し、該回動支点の周囲で回動することにより開閉可能であり、閉成時に前記キャリッジ本体に固定可能である蓋体とを備え、
前記キャリッジ本体の内部に前記収納部が設けられ、前記収納部の底面であって、前記インクカートリッジを収納部に収納したときに前記内圧調節弁と対応する位置に突起部が形成されており、
前記インクカートリッジを収納部に収納したときに前記カートリッジ側端子部と対応する位置に、該カートリッジ側端子部と接触する本体側端子部が設けられており、
前記蓋体には、閉成時に前記突起部が前記弁手段を前記付勢力に抗して押し込む力に起因して生じる前記インクカートリッジの浮き上がりを防止するために該インクカートリッジを押圧可能な押圧部が形成されていることを特徴とするインクカートリッジの浮き上がり防止装置。
【請求項２】
請求項１において、前記インクカートリッジが、前記カートリッジ側端子部が設けられる側の側面から突出形成され、当接面を有する浮き上がり防止突起を備え、
前記キャリッジの前記蓋体の前記押圧部は、蓋体閉成時に前記浮き上がり防止突起の前記当接面を押圧するように形成されていることを特徴とするインクカートリッジの浮き上がり防止装置。
【請求項３】
請求項２において、前記蓋体には幅方向に延びる押圧板が設けられ、前記押圧部は、閉成時に前記浮き上がり防止突起の当接面に対応する位置に形成される前記押圧板上の溝部に形成されていることを特徴とするインクカートリッジの浮き上がり防止装置。
【請求項４】
請求項２または３において、前記溝部は、前記蓋体の閉成時に溝部内に前記浮き上がり防止突起を受入れ可能であり、該溝部には、受入時に浮き上がり防止突起の両側面と僅かな間隙を開けて対向する溝部側面が形成されていることを特徴とするインクカートリッジの浮き上がり防止装置。
【請求項５】
請求項１〜４のいずれかに１項おいて、前記インクカートリッジのカートリッジ側端子部が設けられる側と反対側の端面には、インクカートリッジを収納部に収納したときに前記キャリッジ本体にインクカートリッジを固定するためのカートリッジ固定手段が設けられていることを特徴とするインクカートリッジの浮き上がり防止装置。
【請求項６】
請求項１〜５のいずれか１項において、前記カートリッジ側端子部は、キャリッジの底部を下とした状態における該キャリッジの前側に位置するようにインクカートリッジに設けられていることを特徴とするインクカートリッジの浮き上がり防止装置。
【請求項７】
請求項１〜６のいずれか１項に記載のインクカートリッジの浮き上がり防止装置を備えることを特徴とする記録装置。
【請求項８】
複数の液体カートリッジを収納する収納部と、前記液体カートリッジの液体により被噴射媒体に噴射を行うためのヘッドとを備える走査可能なキャリッジの収納部内に液体カートリッジを収納する際に液体カートリッジの浮き上がりを防止する装置であって、
前記液体カートリッジが、
液体カートリッジの底面に設けられ、常時閉方向に付勢されることにより閉成状態を維持する弁手段を備え、外部から前記弁手段を前記付勢力に抗して押し込むことにより、液体カートリッジ内部と外気とが連通する内圧調節弁と、
液体カートリッジの前記内圧調節弁が設けられる側となる端面に設けられたカートリッジ側端子部と、を備え、
前記キャリッジが、
キャリッジ本体と、該キャリッジ本体に回動支点を有し、該回動支点の周囲で回動することにより開閉可能であり、閉成時に前記キャリッジ本体に固定可能である蓋体とを備え、
前記キャリッジ本体の内部に前記収納部が設けられ、前記収納部の底面であって、前記インクカートリッジを収納部に収納したときに前記内圧調節弁と対応する位置に突起部が形成されており、
前記インクカートリッジを収納部に収納したときに前記カートリッジ側端子部と対応する位置に、該カートリッジ側端子部と接触する本体側端子部が設けられており、
前記蓋体には、閉成時に前記突起部が前記弁手段を前記付勢力に抗して押し込む力に起因して生じる前記液体カートリッジの浮き上がりを防止するために該液体カートリッジを押圧可能な押圧部が形成されていることを特徴とする液体カートリッジの浮き上がり防止装置。
【請求項９】
請求項８に記載の液体カートリッジの浮き上がり防止装置を備えることを特徴とする液体噴射装置。
【発明の詳細な説明】
【０００１】
【発明の属する技術分野】
【技術分野】
本発明は、インクジェット式記録装置等の液体噴射装置に適用してヘッドへインク等の液体を供給する液体カートリッジ及びこれを収容するキャリッジに関するものである。
【０００２】
【従来の技術】
特許文献１（特開２００３−１７０６０８号公報）には、記録装置のキャリッジに装着されて、キャリッジのインク供給針を通じて記録装置へインクを供給するインクカートリッジであって、インクを収納するインクカートリッジ本体と、インクカートリッジ本体に設けられ、キャリッジのインク供給針が挿入されるインク供給路と、インクカートリッジ本体がキャリッジに装着された場合に、インクカートリッジ本体をキャリッジのインク供給針に対して固定する固定部とを備えるインクカートリッジが提案されている。
【０００３】
また、特許文献２（特開２００３−１４５７９８号公報）には、挿入方向の先端側にインク供給口を備えてインクを収容する容器と、容器の挿入方向に平行な面に設けられ、記録装置に接続可能な電極に接続された記憶手段と、電極よりも挿入方向の後端側に設けられ、記録装置に係脱可能な係止部材と、他方の面に設けられ、記録装置に係脱可能な係止部材とを備えるインクカートリッジが提案されている。
【０００４】
【特許文献１】
特開２００３−１７０６０８号公報
【特許文献２】
特開２００３−１４５７９８号公報
【発明が解決しようとする課題】
上記のような従来のインクカートリッジでは、インクカートリッジの後面側に、インクカートリッジが存在することを検知させる情報、インクカートリッジに収納されるインクの色、インクの残量などのインクに関する情報を記憶する記憶手段を備えた回路基板（ＩＣチップ）が搭載されると共に、他の端子部と電気的接触を図るためのカートリッジ側端子部が表面に露出するように配設されている。これに対応してキャリッジの後方側にも回路基板が搭載され、該回路基板に対応するキャリッジの内側位置に、前記カートリッジ側端子部と電気的接触を図るための本体側端子部が配設されている。当該カートリッジ側端子部とキャリッジ側の前記本体端子部が接触することで、前記記憶手段に記憶されている情報の読み取りおよび更新が行えるようになっている。
【０００５】
しかし、キャリッジの後方側は、キャリッジが案内されるためのガイドバーが存在するなどの理由から十分なスペースがなく、従来のように回路基板をキャリッジの後方側に設ける構造では、該回路基板を設置するためのスペースを確保するためにキャリッジが大型化する問題があった。
【０００６】
また、従来のインクカートリッジでは、インクカートリッジ内の圧力調整を行うための内圧調節弁がカートリッジ側面に設けられていた。しかし、設計上の理由から内圧調節弁をインクカートリッジの底面に設ける必要がある場合がある。
【０００７】
内圧調節弁をインクカートリッジの底面に設ける構造では、該内圧調節弁は、常時閉方向に付勢されている弁手段を備えており、この弁手段を細い突起等で押し込むことにより、カートリッジ内部と外気との連通を確保して圧力調節がなされる。しかし、内圧調節弁が、カートリッジ側端子部が設けられる側に近い底面に設けられる場合、細い突起が弁手段を押し込んだときに、弁手段に作用する閉方向の付勢力の反作用の結果、インクカートリッジ全体を浮き上げるような力が作用する。すなわち、内圧調節弁をインクカートリッジの底面に設けた構造では、該弁を開成するとインクカートリッジが浮き上がる問題が生じる。
【０００８】
本発明の目的は、カートリッジ側端子部と底部の内圧調節弁とが同じ側に設けられている場合に、インクカートリッジの浮き上がりを防止するための装置、または液体カートリッジの浮き上がりを防止する装置、及びこれらを備える記録装置、液体噴射装置を提供することにある。
【０００９】
【課題を解決するための手段】
上記課題を達成するため、本発明の第１の態様に係るインクカートリッジの浮き上がり防止装置は、複数のインクカートリッジを収納する収納部と、前記インクカートリッジのインクにより被記録媒体に記録を行うためのヘッドとを備える走査可能なキャリッジの収納部内にインクカートリッジを収納する際にインクカートリッジの浮き上がりを防止する装置であって、前記インクカートリッジが、インクカートリッジの底面に設けられ、常時閉方向に付勢されることにより閉成状態を維持する弁手段を備え、外部から前記弁手段を前記付勢力に抗して押し込むことにより、インクカートリッジ内部と外気とが連通する内圧調節弁と、インクカートリッジの前記内圧調節弁が設けられる側となる端面に設けられたカートリッジ側端子部と、を備え、前記キャリッジが、キャリッジ本体と、該キャリッジ本体に回動支点を有し、該回動支点の周囲で回動することにより開閉可能であり、閉成時に前記キャリッジ本体に固定可能である蓋体とを備え、前記キャリッジ本体の内部に前記収納部が設けられ、前記収納部の底面であって、前記インクカートリッジを収納部に収納したときに前記内圧調節弁と対応する位置に突起部が形成されており、前記インクカートリッジを収納部に収納したときに前記カートリッジ側端子部と対応する位置に、該カートリッジ側端子部と接触する本体側端子部が設けられており、前記蓋体には、閉成時に前記突起部が前記弁手段を前記付勢力に抗して押し込む力に起因して生じる前記インクカートリッジの浮き上がりを防止するために該インクカートリッジを押圧可能な押圧部が形成されていることを特徴とするものである。
【００１０】
本発明の第１の態様によれば、蓋体を閉成したときに、蓋体に形成される押圧部がインクカートリッジに当接し、浮き上がりを押さえる方向に押圧する。このため、突起部が弁手段を付勢力に抗して押し込むときに生じる反作用の結果、インクカートリッジが浮き上がろうとする力に抗して、インクカートリッジを押し込み、その浮き上がりを防止することができる。従って、カートリッジ側端子部のキャリッジ側の本体端子部に対する位置決めが正確になるとともに、キャリッジの移動時の振動に伴うカートリッジ側端子部と前記本体側端子部との上下方向等の位置ずれを防止し、カートリッジ側端子部との情報のやり取りを常に安定且つ正確に行うことが可能となる。
【００１１】
また、本発明の第２の態様に係るインクカートリッジの浮き上がり防止装置は上記第１の態様において、前記インクカートリッジが、前記カートリッジ側端子部が設けられる側の側面から突出形成され、当接面を有する浮き上がり防止突起を備え、前記キャリッジの前記蓋体の前記押圧部は、蓋体閉成時に前記浮き上がり防止突起の前記当接面を押圧するように形成されていることを特徴とするものである。
【００１２】
本発明の第２の態様によれば、蓋体を閉成したときに、蓋体に形成される押圧部が、前記カートリッジ側端子部が位置する側に設けられた浮き上がり防止突起の当接面に当接し、該カートリッジ側端子部に近い位置で浮き上がりを押さえる方向に押圧する。これにより、第１の態様と同様の効果を、一層効果的に得ることができる。
また、本発明の第３の態様に係るインクカートリッジの浮き上がり防止装置は、上記第２の態様において、前記蓋体には幅方向に延びる押圧板が設けられ、前記押圧部は、閉成時に前記浮き上がり防止突起の当接面に対応する位置に形成される前記押圧板上の溝部に形成されていることを特徴とするものである。
本態様によれば、溝部が浮き上がり防止突起を覆う状態で押圧部が当接面に当接するから、押圧部と当接面とがずれて外れることを防止できる。
【００１３】
また、本発明の第４の態様に係るインクカートリッジの浮き上がり防止装置は、上記第２または第３態様において、前記溝部は、前記蓋体の閉成時に溝部内に前記浮き上がり防止突起を受入れ可能であり、該溝部には、受入時に浮き上がり防止突起の両側面と僅かな間隙を開けて対向する溝部側面が形成されていることを特徴とするものである。
本態様によれば、溝部側面により浮き上がり防止突起の側面の位置が規定されるから、カートリッジ側端子部と本体側端子部との横方向の位置ずれを防止し、カートリッジ側端子部との間の情報伝達の誤りをより確実に防止することができる。
【００１４】
また、本発明の第５の態様に係るインクカートリッジの浮き上がり防止装置は、上記第１〜第４のいずれかの態様において、前記インクカートリッジのカートリッジ側端子部が設けられる側と反対側の端面には、インクカートリッジを収納部に収納したときに前記キャリッジ本体にインクカートリッジを固定するためのカートリッジ固定手段が設けられていることを特徴とするものである。
本態様によれば、カートリッジ固定手段が、これと反対側に設けられるインクカートリッジの浮き上がり防止装置と相まって、インクカートリッジ全体を確実に所定位置に固定することができる。
【００１５】
また、本発明の第６の態様に係るインクカートリッジの浮き上がり防止装置は、上記第１〜第５のいずれかの態様において、前記カートリッジ側端子部は、キャリッジの底部を下とした状態における該キャリッジの前側に位置するようにインクカートリッジに設けられていることを特徴とするものである。
キャリッジの後方側は、スペースが狭いため、従来、キャリッジにカートリッジ側端子部と情報のやり取りをするための本体側端子部及び回路基板を設けにくかったが、カートリッジ側端子部をキャリッジの前側に設けることにより、広いスペースが確保し易く、もって本体側端子部を容易に設けることができるようになった。
【００１６】
また、本発明の第７の態様に係る記録装置は、上記第１〜第６のいずれかの態様のインクカートリッジの浮き上がり防止装置を備えていることを特徴とするものである。本態様によれば、カートリッジ側端子部と本体側端子部との位置関係がずれないため、カートリッジ側端子部の情報を常に正確に読み取り且つ更新することができ、安定した記録装置を提供できるようになる。
【００１７】
また、本発明の第８の態様に係る液体カートリッジの浮き上がり防止装置は、複数の液体カートリッジを収納する収納部と、前記液体カートリッジの液体により被噴射媒体に噴射を行うためのヘッドとを備える走査可能なキャリッジの収納部内に液体カートリッジを収納する際に液体カートリッジの浮き上がりを防止する装置であって、前記液体カートリッジが、液体カートリッジの底面に設けられ、常時閉方向に付勢されることにより閉成状態を維持する弁手段を備え、外部から前記弁手段を前記付勢力に抗して押し込むことにより、液体カートリッジ内部と外気とが連通する内圧調節弁と、液体カートリッジの前記内圧調節弁が設けられる側となる端面に設けられたカートリッジ側端子部と、を備え、前記キャリッジが、キャリッジ本体と、該キャリッジ本体に回動支点を有し、該回動支点の周囲で回動することにより開閉可能であり、閉成時に前記キャリッジ本体に固定可能である蓋体とを備え、前記キャリッジ本体の内部に前記収納部が設けられ、前記収納部の底面であって、前記インクカートリッジを収納部に収納したときに前記内圧調節弁と対応する位置に突起部が形成されており、前記インクカートリッジを収納部に収納したときに前記カートリッジ側端子部と対応する位置に、該カートリッジ側端子部と接触する本体側端子部が設けられており、前記蓋体には、閉成時に前記突起部が前記弁手段を前記付勢力に抗して押し込む力に起因して生じる前記液体カートリッジの浮き上がりを防止するために該液体カートリッジを押圧可能な押圧部が形成されていることを特徴とするものである。
【００１８】
また、本発明の第９の態様に係る液体噴射装置は、上記第８の態様の液体カートリッジの浮き上がり防止装置を備えることを特徴とするものである。
【００１９】
【発明の実施の形態】
以下、本願発明の実施の形態を図面に基づいて説明する。図１は本発明のインクカートリッジの浮き上がり防止装置を適用した記録装置または液体噴射装置の一例であるインクジェットプリンタ１（以下、単にプリンタという）を示す側面図である。
【００２０】
プリンタ１は、プリンタ本体３と、該プリンタ本体３の後方上部に設けられる給送部５と、プリンタ本体３の前方に形成される排出部７とを備えて成る。給送部５には給送トレイ１１が形成されており、給送トレイ１１には複数枚の被記録媒体Ｐが積載できるようになっている。給送トレイ１１の直ぐ下流側には給送ローラ１３が設けられている。給送ローラ１３は、対向する分離ローラ１４との間で給送トレイ１１の最上部に位置する被記録媒体Ｐを挟圧して、前方へ送り出す作用をする。
送り出された被記録媒体Ｐは、下側の送り駆動ローラ１５及び上側の送り従動ローラ１７から構成される送りローラ１９に至り、駆動系により記録工程における精密な送り動作を受けながら、送りローラ１９の下流側に位置する記録ヘッド２１へ給送されるようになっている。
【００２１】
記録ヘッド２１は、キャリッジ２３に支持されており、キャリッジ２３には８個のインクカートリッジ２２が搭載されている。キャリッジ２３は、ガイドバー２５に沿って、給送方向と直交する方向（主走査方向）へ往復運動できるようになっている。記録ヘッド２１と対向する位置には、プラテン２４が設けられており、該プラテン２４は、記録ヘッド２１によって被記録媒体Ｐに記録を行う際に、被記録媒体Ｐを下側から支持する作用を担う。
【００２２】
記録ヘッド２１とプラテン２４との距離、即ちペーパーギャップは、記録ヘッド２１を支持するキャリッジ２３を上下動させることにより、被記録媒体Ｐの厚さに応じて適宜調節できるようになっている。ペーパーギャップが適正に調整されている状態では、被記録媒体Ｐはプラテン２４上を滑らかに通過しながら、高品質の記録が行なわれるようになっており、記録ヘッド２１で記録された被記録媒体Ｐは、排出部７に設けられる排出ローラ２７によって順次排出される。排出ローラ２７は、下側の排出駆動ローラ２９及び上側の排出ギザローラ３１から構成されており、被記録媒体Ｐが排出駆動ローラ２９の回転駆動により引き出されて排出される機構となっている。
【００２３】
次に、本願発明のインクカートリッジの浮き上がり防止装置について詳細に説明する。図２は液体カートリッジの一例であるインクカートリッジ２２の側面図であり、図３はインクカートリッジの側断面図であり、図４はキャリッジの蓋体を開放した状態を示すキャリッジの斜視図であり、図５はキャリッジにインクカートリッジを搭載し、蓋体を開放している状態を示す斜視図であり、図６はキャリッジにインクカートリッジを搭載し、蓋体を閉じた様子を示す斜視図であり、図７はインクカートリッジの浮き上がり防止装置の拡大図である。
【００２４】
インクカートリッジ２２は、図２に示す如く、その底面３３には下方へ突出形成されたインク供給路３５と、内圧調節弁３７とが形成されている。本実施の形態では、内圧調節弁３７は、常時下向きに弾性的に付勢されることにより閉成状態を維持する弁手段（図示せず）を備えており、この弁手段は、後述するキャリッジ本体に形成される突起部により弾性的付勢に抗して上方へ押し込まれることにより、外気圧をインクカートリッジ内へ導入するように開放可能である。内圧調節弁３７は、このような構造を備えることにより、インクカートリッジ２２内のインクの減少に伴い内圧が低下し、インクの供給が悪くなることを防止する機能を有する。
【００２５】
インクカートリッジ２２の一方の端面（図２の左側）には、カートリッジ固定手段３９が形成されている。カートリッジ固定手段３９は、回動支点４１においてインクカートリッジ２２の端面に弾性変形可能に接続されており、そこから斜め上方へ延び、他端側が自由端４３となっている。自由端４３の下方には、外側へ突出するように係止片４５が形成されており、係止片４５の上面側はほぼ水平に形成され、下面側は傾斜して形成されている。自由端４３付近にはインクカートリッジ２２の一方の側部から２つの案内壁４７が延びており、係止片４５は２つの案内壁４７の間で回動支点４１を中心に弾性的に回動可能であり、カートリッジ固定手段３９に力が加わらない自由状態では、カートリッジ固定手段３９は図２に示すように外側へ開いた状態となっている。尚、インクカートリッジ２２のカートリッジ固定手段３９が設けられた側は、図５に示す如くキャリッジ２３の後方側に位置するため、本明細書ではインクカートリッジ２２のカートリッジ固定手段３９が設けられた側をインクカートリッジ２２の「後方側」と定義し、その反対側をインクカートリッジ２２の「前方側」と定義することとする。
【００２６】
インクカートリッジ２２の前方側端面には、カートリッジ側端子部４９を表面に露出させた回路基板（図示せず）が設けられている。該回路基板は、インクカートリッジが存在することを検知させる情報、インクカートリッジに収納されるインクの色、インクの残量などのインクカートリッジに関する情報が記憶されている記憶手段（図示せず）が搭載されている。このようにインクカートリッジ２２の前方側に、カートリッジ側端子部４９及び回路基板（図示せず）を設ける構成は、従来のインクカートリッジと異なる構成である。本願発明において、インクカートリッジ２２の前方側にカートリッジ側端子部４９及び回路基板（図示せず）を設ける理由は、インクカートリッジ２２の後方側にカートリッジ側端子部を設けていたときには、キャリッジ２３の後方側は比較的スペースがとりにくく、キャリッジ２３にカートリッジ側端子部と接触する本体側端子部及び回路基板（図示せず）を設けにくかったからである。
【００２７】
本例のインクカートリッジ２２では、前方側にカートリッジ側端子部４９及び回路基板（図示せず）が設けられているため、キャリッジ２３の前側の広いスペースに本体側端子部及び回路基板（図示せず）を形成することができる。この点は後述する。
【００２８】
内圧調節弁３７が設けられているインクカートリッジ２２の前方側の端面には、浮き上がり防止突起５１が形成されている。浮き上がり防止突起５１は、インクカートリッジ２２の前方側の端面から突出するように形成されており、その上面には当接面５３が形成されている。因みに、この当接面５３には、後述するキャリッジ２３の蓋体に形成される押圧部が蓋体の閉成時に当接し押圧することにより、キャリッジ本体に形成される突起部が、下向きに弾性的に付勢されている弁手段、従ってインクカートリッジ全体を上方へ持ち上げようとする力に抗して、インクカートリッジ２２を押し下げ、その浮き上がりを防止している。
【００２９】
次に、キャリッジ２３の具体的構成について説明する。キャリッジ２３は、キャリッジ本体５５と、キャリッジ本体５５の前側上部に設けられて回動支点を中心に前方上方側へ回動して開放可能な蓋体５７とから構成されている。キャリッジ本体５５の内側には、インクカートリッジ２２を収容するためのカートリッジ収容部５９が形成されており、カートリッジ収容部５９内には一例として８つのインクカートリッジ２２を収容するための区画が形成されており、各区画はパーテーション６１により部分的に区切られている。
【００３０】
図４に示す如く、カートリッジ収容部５９内の底部には、各インクカートリッジ２２を各区画に収納したときにインク供給路３５に対応する位置にインク供給針６３が設けられている。またカートリッジ収容部５９内の底部の前側には、図４に示す如く、各インクカートリッジ２２を各区画に収納したときに内圧調節弁３７に対応する位置に、突起部６５が上向きに形成されている。インクカートリッジ２２が各区画に収納され、押し込まれたとき、この突起部６５の上端は内圧調節弁３７の中へ押し込まれ、内圧調節弁３７の常時下方へ付勢されている弁手段を上方へ押し上げて、弁手段を開放し、インクの減少によるインクカートリッジ２２内の内圧の低下を防止する。更にカートリッジ収容部５９内の前側の内壁には、各インクカートリッジ２２を各区画に収納したときにカートリッジ側端子部４９に対応する位置に、カートリッジ側の記憶手段（図示せず）と情報のやり取りをするための本体側端子部６７及び回路基板が設けられている。
【００３１】
キャリッジ本体５５の後面側には、２つの環状の支持部６９が形成されており、これら支持部６９がガイドバー２５にスライド可能に支持されることでキャリッジ２３が主走査方向に移動できるようになっている。
【００３２】
キャリッジ２３の蓋体５７は、図５に示す如く、ほぼ矩形の枠状に形成されており、その先端側の中央には係止部７１が形成されており、該係止部７１は、蓋体５７の閉成時（図６に示す状態）にキャリッジ本体５５の後面上部に形成される被係止部７３にスナップ嵌め式に係止して、蓋体５７の閉成状態を維持できるようになっている。
【００３３】
蓋体５７の回動支点に近い部分には、図５及び図７に示す如く、蓋体５７の幅方向に渡って押圧板７５が形成されており、この押圧板７５には、蓋体５７を閉成したときに各インクカートリッジ２２の浮き上がり防止突起５１に対応する位置に、凹状の溝部７７が形成されている。各溝部７７には押圧部７９が形成されており、図７中の矢印８１で示す如く、蓋体５７が回動して閉成するときに、溝部７７の押圧部７９が浮き上がり防止突起５１の当接面５３を上方から下向きに押圧するようになっている。
【００３４】
これにより、キャリッジ本体５５に形成される突起部６５が、下向きに弾性的に付勢されている弁手段を上方へ押し込むときに生じる反作用の結果、インクカートリッジ２２の前側が上方へ浮き上がろうとする力に抗して、インクカートリッジ２２を押し下げ、その浮き上がりを防止することができる。この結果、突起部６５が設けられている側と同じ側に設けられているカートリッジ側端子部４９の本体側端子部６７に対する位置決めが正確になるとともに、キャリッジ２３の移動時の振動に伴うカートリッジ側端子部４９と本体側端子部６７との上下方向の位置ずれを防止し、カートリッジ側端子部４９からの情報を常に正確に読み取り或いは更新することが可能となる。
【００３５】
凹状の溝部７７には、両側に溝部側面８３が形成されており、蓋体５７の閉成時には、溝部側面８３が突起部６５の両側面に僅かな間隙を開けて対向することにより、各インクカートリッジ２２の横ぶれを防止している。これによりカートリッジ側端子部４９と本体側端子部６７との横方向の位置ずれを防止し、カートリッジ側端子部４９からの情報伝達の誤りをより確実に防止している。
【００３６】
以上、本発明のインクカートリッジの浮き上がり防止装置を記録装置の一例であるインクジェットプリンタを例にとって説明したが、インクジェットプリンタの他にも、インク等の液体をそのヘッドから吐出して被噴射媒体に噴射を実行する他の液体噴射装置にも同様に適用可能である。
【００３７】
ここで液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記記録ヘッドに相当する液体噴射ヘッドから被記録媒体に相当する被噴射媒体に噴射して、前記液体を前記被噴射媒体に付着させる装置を含む意味で用いる。
【００３８】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【図面の簡単な説明】
【図１】本発明を適用したインクジェットプリンタを示す側面図。
【図２】インクカートリッジの側面図。
【図３】インクカートリッジの側断面図。
【図４】キャリッジの蓋体を開放した状態を示すキャリッジの斜視図。
【図５】キャリッジにインクカートリッジを搭載し蓋体を開放している状態を示す斜視図。
【図６】キャリッジにインクカートリッジを搭載し蓋体を閉じた様子を示す斜視図。
【図７】インクカートリッジの浮き上がり防止装置の拡大図。
【符号の説明】
１  プリンタ、３  プリンタ本体、５  給送部、７  排出部、
１１  給送トレイ、１３  給送ローラ、１４  分離ローラ、
１５  送り駆動ローラ、１７  送り従動ローラ、１９  送りローラ、
２１  記録ヘッド、２２  インクカートリッジ、２３  キャリッジ
２４  プラテン、２５  ガイドバー、２７  排出ローラ、
２９  排出駆動ローラ、３１  排出ギザローラ、
３３  インクカートリッジの底面、３５  インク供給路、３７  内圧調節弁、
３９  カートリッジ固定手段、４１  回動支点、４３  自由端、４５  係止片、４７  案内壁、４９  カートリッジ側端子部、５１  浮き上がり防止突起、
５３  当接面、５５  キャリッジ本体、５７  蓋体、５９  カートリッジ収容部
６１  パーテーション、６３  インク供給針、６５  突起部、
６７  本体側端子部、６９  支持部、７１  係止部、７３  被係止部、
７５  押圧板、７７  溝部、７９  押圧部、８１  矢印、８３  溝部側面、
Ｐ  被記録媒体
【図１】
2005041057.tif 000003
【図２】
2005041057.tif 000004
【図３】
2005041057.tif 000005
【図４】
2005041057.tif 000006
【図５】
2005041057.tif 000007
【図６】
2005041057.tif 000008
【図７】
2005041057.tif 000009